【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
表面層に形成され、位相変調素子を構成する第１凹凸構造と、
前記表面層に形成され、屈折光学素子を構成する第２凹凸構造と、を備え、
前記第１凹凸構造は、平坦な頂面を有する凸部及び平坦な底面を有する凹部の少なくともいずれか一方を有し、
前記第２凹凸構造は、曲面状の頂面を有する凸部を有する、情報記録媒体。
【請求項２】
前記第１凹凸構造は、計算機合成ホログラムを含む、請求項１に記載の情報記録媒体。
【請求項３】
前記第１凹凸構造は、位相変調型のフーリエ変換ホログラムを含む、請求項１に記載の情報記録媒体。
【請求項４】
前記第１凹凸構造は、三段以上の段数を有する、請求項１〜３のいずれか一項に記載の情報記録媒体。
【請求項５】
前記第１凹凸構造は、透過型のホログラムを含み、
前記情報記録媒体の厚さ方向への投影において、前記第１凹凸構造が設けられている領域と重なる部分は透明又は半透明である、請求項１〜４のいずれか一項に記載の情報記録媒体。
【請求項６】
前記第２凹凸構造は、前記第１凹凸構造よりも突出している、請求項１〜５のいずれか一項に記載の情報記録媒体。
【請求項７】
前記第１凹凸構造が設けられている領域は、前記第２凹凸構造が設けられている領域と隣接している、請求項１〜６のいずれか一項に記載の情報記録媒体。
【請求項８】
前記表面層に形成され、絵柄を表示する第３凹凸構造を、更に備える、請求項１〜７のいずれか一項に記載の情報記録媒体。
【請求項９】
前記第３凹凸構造は、曲面状の頂面を有する凸部及び曲面状の底面を有する凹部の両方を有する、請求項８に記載の情報記録媒体。
【請求項１０】
前記第３凹凸構造は、前記第２凹凸構造よりも突出している、請求項８又は９に記載の情報記録媒体。
【請求項１１】
前記第３凹凸構造及び前記第２凹凸構造の前記凸部は、少なくとも部分的に隣接している、請求項８〜１０のいずれか一項に記載の情報記録媒体。
【請求項１２】
表面層に形成され、位相変調素子を構成する第１凹凸構造と、
前記表面層に形成され、絵柄を表示する第３凹凸構造と、備え、
前記第１凹凸構造は、平坦な頂面を有する凸部及び平坦な底面を有する凹部の少なくともいずれか一方を有し、
前記第３凹凸構造は、曲面状の頂面を有する凸部及び曲面状の底面を有する凹部の少なくともいずれか一方を有する、情報記録媒体。
【請求項１３】
前記第３凹凸構造は、前記凸部及び前記凹部の両方を有する、請求項１２に記載の情報記録媒体。
【請求項１４】
前記第３凹凸構造の前記凸部及び前記凹部は、少なくとも部分的に隣接している、請求項１３に記載の情報記録媒体。
【請求項１５】
前記第３凹凸構造は、前記第１凹凸構造よりも突出している、請求項８〜１４のいずれか一項に記載の情報記録媒体。
【請求項１６】
前記第１凹凸構造が設けられている領域は、前記第３凹凸構造が設けられている領域と隣接している、請求項８〜１５のいずれか一項に記載の情報記録媒体。
【請求項１７】
表面層に凹凸構造を有した情報記録媒体の製造に用いられる原版であって、
位相変調素子を賦型するための第１凹凸部と、屈折光学素子を賦型するための第２凹凸部と、が設けられた版面を、備え、
前記第１凹凸部は、平坦な頂面を有する凸部及び平坦な底面を有する凹部の少なくともいずれか一方を有し、
前記第２凹凸部は、曲面状の頂面を有する凸部を有する、原版。
【請求項１８】
前記第１凹凸部が設けられている領域は、前記第２凹凸部が設けられている領域と隣接している、請求項１７に記載の原版。
【請求項１９】
絵柄を賦型するための第３凹凸部が、前記版面に更に設けられている、請求項１７又は１８に記載の原版。
【請求項２０】
前記版面は凸部及び凹部の両方を含み、且つ、前記凸部は、前記凹部が設けられている部分と継ぎ目無しで一体的に形成されている、請求項１７〜１９のいずれか一項に記載の原版。
【請求項２１】
表面層に凹凸構造を有した情報記録媒体の製造に用いられる原版であって、
位相変調素子を賦型するための第１凹凸部と、絵柄を賦型するための第３凹凸部と、が設けられた版面を、備え、
前記第１凹凸部は、平坦な頂面を有する凸部及び平坦な底面を有する凹部の少なくともいずれか一方を有し、
前記第３凹凸部は、曲面状の頂面を有する凸部及び曲面状の底面を有する凹部の少なくともいずれか一方を有する、原版。
【請求項２２】
前記第３凹凸部は、前記凸部及び前記凹部の両方を有する、請求項２１に記載の原版。
【請求項２３】
前記第１凹凸部が設けられている領域は、前記第３凹凸部が設けられている領域と隣接している、請求項２１又は２２に記載の原版。
【請求項２４】
請求項１〜１１のいずれか一項に記載の情報記録媒体を製造する方法であって、
原版の版面に設けられた第１凹凸部及び第２凹凸部によって、それぞれ、前記第１凹凸構造及び前記第２凹凸構造を表面層に賦型する工程を含む、情報記録媒体の製造方法。
【請求項２５】
前記原版は、絵柄を表示する第３凹凸構造を賦型するための第３凹凸部を、前記版面に、更に設けられ、
前記賦型する工程において、前記第３凹凸部によって、前記第３凹凸構造を表面層に賦型する、請求項２４に記載の情報記録媒体の製造方法。
【請求項２６】
請求項１２〜１６のいずれか一項に記載の情報記録媒体を製造する方法であって、
原版の版面に設けられた第１凹凸部及び第３凹凸部によって、それぞれ、前記第１凹凸構造及び前記第３凹凸構造を表面層に賦型する工程を含む、情報記録媒体の製造方法。
【請求項２７】
表面層に凹凸構造を有した情報記録媒体の製造に用いられる原版の製造方法であって、
位相変調素子を賦型するための第１凹凸部を形成する工程と、
前記第１凹凸部を形成する工程の前または後に実施され、屈折光学素子を賦型するための第２凹凸部を、前記第１凹凸部を形成する工程とは異なる方法によって、形成する工程と、を備える、原版の製造方法。
【請求項２８】
前記第１凹凸部を形成する工程において、パターンレジストをマスクとして用いたドライエッチングにより前記第１凹凸部を形成する、請求項２７に記載の原版の製造方法。
【請求項２９】
前記第２凹凸部を形成する工程は、前記第１凹凸部を形成する工程の後に実施される、請求項２７又は２８に記載の原版の製造方法。
【請求項３０】
前記第２凹凸部を形成する工程において、切削加工により前記第２凹凸部を形成する、請求項２７〜２９のいずれか一項に記載の原版の製造方法。
【請求項３１】
前記第１凹凸部および前記第２凹凸部のうちの一方の凹凸部を形成することで作製された中間版を用いて、前記一方の凹凸部を反転してなる凹凸部を有する別の中間版を作製する工程を、更に備え、
前記第１凹凸部および前記第２凹凸部のうちの他方の凹凸部は、前記別の中間版、又は、前記別の中間版を用いて作製され前記凹凸部を更に反転してなる凹凸部を有する更に別の中間版に、形成される、請求項２７〜３０のいずれか一項に記載の原版の製造方法。
【請求項３２】
絵柄を賦型するための第３凹凸部を形成する工程を、さらに備え、
前記第３凹凸部は、前記第１凹凸部を形成する工程とは異なる方法によって形成され、且つ、前記第２凹凸部を形成する工程とは異なる方法によって形成される、請求項２７〜３１のいずれか一項に記載の原版の製造方法。
【請求項３３】
表面層に凹凸構造を有した情報記録媒体の製造に用いられる原版の製造方法であって、
位相変調素子を賦型するための第１凹凸部を形成する工程と、
前記第１凹凸部を形成する工程の前または後に実施され、絵柄を賦型するための第３凹凸部を、前記第１凹凸部を形成する工程とは異なる方法によって、形成する工程と、を備える、原版の製造方法。
【請求項３４】
前記第３凹凸部を形成する工程において、パターンレジストをマスクとして用いたウェットエッチングにより前記第３凹凸部を形成する、請求項３２又は３３に記載の原版の製造方法。
【請求項３５】
前記第１凹凸部および前記第３凹凸部のうちの一方の凹凸部を形成することで作製された中間版を用いて、前記一方の凹凸部を反転してなる凹凸部を有する別の中間版を作製する工程を、更に備え、
前記第１凹凸部および前記第３凹凸部のうちの他方の凹凸部は、前記別の中間版、又は、前記別の中間版を用いて作製され前記凹凸部を更に反転してなる凹凸部を有する更に別の中間版に、形成される、請求項３２〜３４のいずれか一項に記載の原版の製造方法。
【請求項３６】
前記第３凹凸部を形成する工程は、
パターンレジストをマスクとして用いたウェットエッチングにより凹部を形成して中間版を作製する工程と、
前記中間版を用いて、前記凹部を反転してなる凸部を有する別の中間版を作製する工程と、
パターンレジストをマスクとして用いたウェットエッチングにより前記別の中間版に凹部を形成する工程と、を含み、
凸部及び凹部の両方を含む前記第３凹凸部を形成する、請求項３２〜３５のいずれか一項に記載の原版の製造方法。
【請求項３７】
いずれか一つの凹凸部を形成することで作製された中間版を用いて、前記一つの凹凸部を反転してなる別の中間版を作製する工程を、更に備え、
前記別の中間版、又は、前記別の中間版を用いて作製され前記一つの凹凸部を更に反転してなる更に別の中間版に、いずれか他の一つの凹凸部を形成する、請求項２７〜３６のいずれか一項に記載の原版の製造方法。
【請求項３８】
前記中間版の材料と前記別の中間板の材料は互いに異なる、請求項３７に記載の原版の製造方法。